(57)【要約】【課題】この発明は、音響用ディスクに記録されているトラック単位よりも小さな単位での再生制御が可能となるインデックス情報作成方法および装置を提供することを目的とする。【解決手段】インデックス情報作成方法において、トラック単位の音声情報から無音箇所を検出し、検出した無音箇所に基づいて、音声情報をトラック単位より小さな単位で区切るためのインデックス情報を作成する。インデックス情報作成装置において、トラック単位の音声情報から無音箇所を検出する手段、および検出した無音箇所に基づいて、音声情報をトラック単位より小さな単位で区切るためのインデックス情報を作成する手段を備えている。【選択図】　図１
2004039096.tif 000002
【特許請求の範囲】
【請求項１】
トラック単位の音声情報から無音箇所を検出し、検出した無音箇所に基づいて、音声情報をトラック単位より小さな単位で区切るためのインデックス情報を作成するインデックス情報作成方法。
【請求項２】
トラック単位の音声情報から無音箇所を検出する手段、および検出した無音箇所に基づいて、音声情報をトラック単位より小さな単位で区切るためのインデックス情報を作成する手段を備えているインデックス情報作成装置。
【発明の詳細な説明】
【０００１】
【発明の属する技術分野】
この発明は、音声情報をトラック単位より小さな単位で区切るためのインデックス情報を作成するインデックス情報作成方法および装置に関する。
【０００２】
【従来の技術】
一般に広く普及している音響用ＣＤでは、トラック数は最大９９と規格化されている。１トラックを更に細かく分割したインデックスという規格も存在しているが、インデックスを用いて細かく時間を分割して記録した音響用ＣＤは普及していない。更に、インデックス単位で再生制御できる音響用ＣＤの再生装置も未だ普及していない。
【０００３】
語学学習用の音響用ＣＤを用いて語学学習を行なう場合、使用者はＣＤ再生装置によって再生トラック単位の再生制御を容易に行わせることができるが、トラック単位よりも短い時間（数秒）で記録されているセンテンス単位で再生制御を行なわすことは困難であった。
【０００４】
また、語学学習用の音響用ＣＤの記録内容を、ＭＤに記録した後に再生を行なうことも考えられる。ＭＤ録音再生装置の一部には、録音時に無音または無音と見做せる部分（無音区間）が一定時間（約１〜２秒）継続すると、その区間を曲間と見做してトラックを分割するオートマーカー機能を備えているものがある。
【０００５】
しかしながら、この機能は、音楽用途を前提としており、語学学習用の音響用ＣＤに記録されたセンテンス間の比較的短い無音または無音と見做せる区間（約数百ｍｓ）を検出するようには設計されていない。
【０００６】
【発明が解決しようとする課題】
この発明は、音響用ディスクに記録されているトラック単位よりも小さな単位での再生制御が可能となるインデックス情報作成方法および装置を提供することを目的とする。
【０００７】
【課題を解決するための手段】
この発明によるインデックス情報作成方法は、トラック単位の音声情報から無音箇所を検出し、検出した無音箇所に基づいて、音声情報をトラック単位より小さな単位で区切るためのインデックス情報を作成することを特徴とする。
【０００８】
この発明によるインデックス情報作成装置は、トラック単位の音声情報から無音箇所を検出する手段、および検出した無音箇所に基づいて、音声情報をトラック単位より小さな単位で区切るためのインデックス情報を作成する手段を備えていることを特徴とする。
【０００９】
【発明の実施の形態】
以下、この発明の実施の形態について説明する。
【００１０】
図１は、録音再生システムの構成を示している。
【００１１】
録音再生システムは、データ読み取り・データ変換装置１と、録音再生装置２とからなる。
【００１２】
データ読み取り・データ変換装置１は、例えば、データ読み取り・データ変換プログラムがインストールされたＰＣから構成される。録音再生装置２としては、入力データを例えば半導体メモリに格納する機能と、半導体メモリに格納されたデータを読み出して再生出力する機能とを備えた半導体プレイヤが用いられる。
【００１３】
データ読み取り・データ変換装置１は、音響用ＣＤ３に記録されている語学学習用の音声データおよび制御データを読み取って、トラック単位毎に音声データを格納した音声情報ファイルと、音声情報ファイル間の再生順序（演奏順序）を示すデータを格納した再生順ファイルおよび各音声情報ファイル毎にトラック単位以下のインデックス情報を格納したインデックス情報ファイルを作成し、作成した各ファイルのデータを録音再生装置２に転送する。
【００１４】
録音再生装置２は、データ読み取り・データ変換装置１から転送されてきたデータを半導体メモリに格納する。そして、使用者の操作に応じて、半導体メモリに格納された音響情報を再生出力する。
【００１５】
録音再生装置２は、再生制御の単位モードとして、音声情報ファイル単位（トラック単位）モードとインデックス単位モードとを備えている。音声情報ファイル単位モードが選択されている場合には、音声情報ファイル単位での再生位置の指定、音声情報ファイル単位での頭出し、音声情報ファイル単位での繰り返し再生、音声情報ファイル単位での可変速再生等の再生制御が可能である。
【００１６】
また、インデックス単位モードが選択されている場合には、音声情報ファイル毎に作成されているインデックス情報ファイルのデータに基づいて、インデックス単位での再生位置の指定、インデックス単位での頭出し、インデックス単位での繰り返し再生、インデックス単位での可変速再生等の再生制御が可能である。
【００１７】
図２は、データ読み取り・データ変換装置１の処理手順を示している。
【００１８】
まず、音響用ＣＤからデータを読み取る（ステップ１）。音響用ＣＤは語学学習用のＣＤであり、音響用ＣＤのある１つのトラックには、例えば、次に示すような語学学習用の英文に対応する音声データが記録されているものとする。
【００１９】
Ｌｏｎｇ　ｔｉｍｅ　ｎｏ　ｓｅｅ．
Ｈｏｗ’ｓ　ｉｔ　ｇｏｉｎｇ？
Ｆｉｎｅ．
Ｉ　ｈａｖｅｎ’ｔ　ｓｅｅｎ　ｙｏｕ　ｓｉｎｃｅ　ｙｏｕ　ｗｅｒｅ　ｔｒａｎｓｆｅｒｒｅｄ　ｔｏ　ａｎｏｔｈｅｒ　ｄｅｐａｒｔｍｅｎｔ．
Ｈｏｗ’ｓ　ｅｖｅｒｙｔｈｉｎｇ　ｇｏｉｎｇ？
Ｇｏｏｄ．
Ｉ　ｇｏｔ　ｕｓｅｄ　ｔｏ　ｍｙ　ｎｅｗ　ｅｎｖｉｒｏｎｍｅｎｔ　ｎｏｗ．
Ｔｈａｔ’ｓ　ｇｏｏｄ．
Ｌｅｔ’ｓ　ｈａｖｅ　ａ　ｌｕｎｃｈ　ｔｏｇｅｔｈｅｒ　ｓｏｏｎ．
【００２０】
次に、音響用ＣＤからの読み取りデータに基づいて、トラック単位毎に音声データを格納した音声情報ファイルと、音声情報ファイル間の再生順序を示すデータを格納した再生順ファイルを作成する（ステップ２）。
【００２１】
次に、各音声情報ファイル毎に、トラック単位以下のインデックス情報を格納したインデックス情報ファイルを作成する（ステップ３）。
【００２２】
つまり、まず、音声情報ファイル内の音声データに基づいて、無音または無音と見做される区間（以下、無音区間という）を検出する。具体的には、７０ｍｓ以上の時間にわたって６０ｄＢ以下のデータが継続する区間を、無音区間として検出する。そして、無音区間の検出結果に基づいて、トラック単位以下のインデックス情報からなるインデックス情報ファイルを作成する。
【００２３】
上記の英文に対応した音声データが記録された音声情報ファイルに対するインデックス情報ファイルを作成する場合について説明する。
【００２４】
図３は、上記の英文の音声データと対応する英文とを示している。このような音声データからは、Ｎ１〜Ｎ８で示すように、隣り合うセンテンス間において無音区間が検出される。
【００２５】
当該英文全体の開始時点を基準として、各無音区間Ｎ１〜Ｎ８の終了時点（センテンスの開始時点）の時間情報”ｘｘ時ｘｘ分ｘｘ秒ｘｘｘ”がインデックス情報として、当該音声情報ファイルに対するインデックス情報ファイルに格納される。このようにして作成されたインデックス情報ファイルの内容を図４に示す。
【００２６】
全ての音声情報ファイルに対するインデックス情報ファイルが作成されると、各音声情報ファイル、再生順ファイルおよび各インデックス情報ファイルのデータを録音再生装置２に転送する（ステップ４）。そして、今回の処理を終了する。
【００２７】
上述したように、録音再生装置２は、データ読み取り・データ変換装置１から転送されてきたデータを半導体メモリに格納する。そして、使用者の操作に基づいて、半導体メモリに格納された音声情報を再生出力する。
【００２８】
この際、再生制御の単位モードとして、インデックス単位モードが選択されている場合には、音声情報ファイル毎に作成されているインデックス情報ファイルのデータに基づいて、上記の例ではセンテンス単位での再生位置の指定、センテンス単位での頭出し、センテンス単位での繰り返し再生、センテンス単位での可変速再生等が可能となる。
【００２９】
【発明の効果】
この発明によれば、音響用ディスクに記録されているトラック単位よりも小さな単位での再生制御が可能となるインデックス情報作成方法および装置が実現する。
【図面の簡単な説明】
【図１】録音再生システムの構成を示すブロック図である。
【図２】データ読み取り・データ変換装置の処理手順を示すフローチャートである。
【図３】１つのトラックに記録された英文の音声データと対応する英文とを示す波形図である。
【図４】インデックス情報ファイルの内容の一例を示す模式図である。
【符号の説明】
１　データ読み取り・データ変換装置
２　録音再生装置
【図１】
2004039096.tif 000003
【図２】
2004039096.tif 000004
【図３】
2004039096.tif 000005
【図４】
2004039096.tif 000006